(57)【要約】      （修正有）【課題】より色再現性の高い表示装置を提供する。【解決手段】発光制御装置は、複数色の発光を制御する発光制御部６１１と、鏡部を含む表示部６９と、カラーパレット画像を予め記憶した記憶部７０と、通信端末によって撮像されたカラーパレット画像が反射された鏡部の画像データを、受信する通信部７１と、記憶部７０に記憶されているカラーパレット画像と通信部により受信された画像データとの色情報を比較する画像比較部６１３と、画像比較部による比較結果に基づいて色補正値を算出する算出部６１４と、を備える。発光制御部６１１は、算出部によって算出された色補正値に基づいて発光を制御する。【選択図】図８
2019153991.tif 000002
【特許請求の範囲】
【請求項１】
複数色の発光が可能な発光部の発光を制御する発光制御手段と、
外光を反射する反射部を含む表示手段と、
色基準情報を予め記憶した記憶手段と、
外部装置によって撮像された色基準情報が反射された前記反射部の反射像である前記色基準情報の画像データを、受信する受信手段と、
前記記憶手段に記憶されている色基準情報と前記受信手段により受信された画像データとに応じて色補正値を算出する算出手段と、
を備え、
前記発光制御手段は、前記算出手段によって算出された前記色補正値に基づいて前記発光を制御することを特徴とする発光制御装置。
【請求項２】
比較手段は、前記記憶手段に記憶されている色基準情報と、前記受信手段により受信された画像データとの色情報を比較する比較手段をさらに備え、
前記算出手段は、前記比較手段の比較結果に基づいて、前記色補正値を算出することを特徴とする請求項１に記載の発光制御装置。
【請求項３】
前記受信手段により受信した画像データから前記色基準情報の画像範囲を検出する検出手段を更に備え、
前記比較手段は、前記記憶手段に記憶されている色基準情報と前記検出手段により検出された色基準情報の画像範囲とを比較する、
ことを特徴とする請求項２に記載の発光制御装置。
【請求項４】
前記比較手段は、前記色情報を色成分毎に比較する、
ことを特徴とする請求項２又は３に記載の発光制御装置。
【請求項５】
前記算出手段は、前記比較結果から各色成分の色補正値を算出する、
ことを特徴とする請求項２乃至４の何れか１項に記載の発光制御装置。
【請求項６】
前記算出手段は、前記比較結果に基づいて各色成分の差分を算出し、該算出した各色成分の差分に基づいて前記各色成分の色補正値を算出することを特徴とする請求項５に記載の発光制御装置。
【請求項７】
前記発光制御手段は、被写体を照らすように発光する、
ことを特徴とする請求項１乃至６の何れか１項に記載の発光制御装置。
【請求項８】
前記発光制御手段は、前記外部装置の発光部を制御する、
ことを特徴とする請求項１乃至７の何れか１項に記載の発光制御装置。
【請求項９】
前記反射部は、透過性を有する反射部材である、
ことを特徴とする請求項１乃至８の何れか１項に記載の発光制御装置。
【請求項１０】
前記表示手段の表示を制御する表示制御手段を更に備え、
前記表示制御手段は前記算出手段により算出された色補正値に基づいて前記表示手段の表示を制御する、
ことを特徴とする請求項１乃至９の何れか１項に記載の発光制御装置。
【請求項１１】
データ通信が可能な通信端末と、
前記通信端末とデータ通信が可能な発光制御装置とを備え、
前記通信端末は、
色基準情報が反射された前記発光制御装置が備える反射部を撮像することによって、画像データを生成する撮像手段と、
前記画像データを前記発光制御装置に対して送信する送信手段と、
を備え、
前記発光制御装置は、
複数色の発光を制御する発光制御手段と、
反射部を含む表示手段と、
前記色基準情報を予め記憶した記憶手段と、
前記画像データを受信する受信手段と、
前記記憶手段に記憶されている色基準情報と前記受信手段により受信された画像データとを比較する比較手段と、
前記比較手段による比較結果に基づいて色補正値を算出する算出手段と、
を有し、
前記発光制御手段は、前記算出手段によって算出された前記色補正値に基づいて前記発光を制御することを特徴とする表示システム。
【請求項１２】
色基準情報を表示する表示手段と、
前記色基準情報が反射された、発光制御装置の反射部を撮像することによって、画像データを生成する撮像手段と、
前記画像データを前記発光制御装置に対して送信する送信手段と、
を備えることを特徴とする通信端末。
【請求項１３】
コンピュータが行う発光制御方法であって、
複数色の発光を制御する発光制御ステップと、
色基準情報を予め記憶する記憶ステップと、
外部装置によって撮像された色基準情報が反射された、反射部の画像データを、前記外部装置から受信する受信ステップと、
前記記憶ステップにおいて記憶されている色基準情報と前記受信ステップにより受信された画像データとを比較する比較ステップと、
前記比較ステップによる比較結果に基づいて色補正値を算出する算出ステップと、
を備え、
前記発光制御ステップは、前記算出ステップによって算出された前記色補正値に基づいて前記発光を制御することを特徴とする発光制御方法。
【請求項１４】
コンピュータを発光制御装置として機能させる発光制御プログラムであって、
複数色の発光を制御する発光制御手段と、
色基準情報を予め記憶する記憶手段と、
外部装置によって撮像された色基準情報が反射された、反射部の画像データを受信する受信手段と、
前記記憶手段において記憶されている色基準情報と前記受信手段により受信された画像データとを比較する比較手段と、
前記比較手段による比較結果に基づいて色補正値を算出する算出手段と、
を備え、
前記発光制御手段は、前記算出手段によって算出された前記色補正値に基づいて前記発光を制御する発光制御装置、として前記コンピュータを機能させることを特徴とする発光制御プログラム。
【発明の詳細な説明】
【技術分野】
【０００１】
本発明は、発光制御装置、表示システム、発光制御方法、及び発光制御プログラムに関する。
【背景技術】
【０００２】
従来、装置間で画像の色合いを調整する色補正が知られている。
例えば、特許文献１には、撮像装置によって基準となるカラーチャートを撮像し、得られたカラーチャートを用いて測色対象の画像データを補正する技術が開示されている。
また、表示面にハーフミラーを備えた、バックライト式画像表示装置が知られている。
【先行技術文献】
【特許文献】
【０００３】
【特許文献１】特開平５−２２３６４２号公報
【発明の概要】
【発明が解決しようとする課題】
【０００４】
しかしながら、特許文献１に開示の技術等の一般的な技術では、画像表示面にハーフミラー等の反射部が設けられた場合に、ハーフミラー等の反射部が設けられていない画像表示面に補正を行う場合と比べると適切に補正を行うことができず、色再現性が低くなるおそれがあった。
【０００５】
本発明は、このような状況に鑑みてなされたものであり、より色再現性の高い発光制御装置を提供することを目的とする。
【課題を解決するための手段】
【０００６】
本発明に係る発光制御手段は、
複数色の発光が可能な発光部の発光を制御する発光制御手段と、
外光を反射する反射部を含む表示手段と、
色基準情報を予め記憶した記憶手段と、
外部装置によって撮像された色基準情報が反射された前記反射部の反射像である前記色基準情報の画像データを、受信する受信手段と、
前記記憶手段に記憶されている色基準情報と前記受信手段により受信された画像データとに応じて色補正値を算出する算出手段と、
を備え、
前記発光制御手段は、前記算出手段によって算出された前記色補正値に基づいて前記発光を制御することを特徴とする。
【発明の効果】
【０００７】
本発明によれば、より色再現性の高い表示装置を提供することができる。
【図面の簡単な説明】
【０００８】
【図１】本発明の一実施形態に係る表示システムの外観構成を示す図である。
【図２】本発明の一実施形態に係る発光制御装置の断面の構成を示す図である。
【図３】本発明の一実施形態に係る発光制御装置の鏡部における反射率を示すグラフである。
【図４】本発明の一実施形態に係る表示システムの使用状態を示す図である。
【図５】本発明の一実施形態に係る通信端末のハードウェアの構成を示すブロック図である。
【図６】本発明の一実施形態に係る通信端末の機能的構成のうち、色比較を実行するための機能的構成を示す機能ブロック図である。
【図７】本発明の一実施形態に係る発光制御装置のハードウェアの構成を示すブロック図である。
【図８】本発明の一実施形態に係る発光制御装置の機能的構成のうち、色比較を実行するための機能的構成を示す機能ブロック図である。
【図９】本発明の一実施形態に係る通信端末が実行する送信処理の流れを説明するフローチャートである。
【図１０】本発明の一実施形態に係る発光制御装置が実行する色比較の流れを説明するフローチャートである。
【図１１】本発明の一実施形態に係る通信端末に表示されるカラーパレット画像を示す図である。
【図１２】本発明の一実施形態に係る通信端末に表示されるカラーパレット画像の発光強度を色毎に示す図である。
【図１３】本発明の一実施形態に係る通信端末が撮影したカラーパレット画像の発光強度を色毎に示す図である。
【図１４】本発明の一実施形態に係る発光制御装置の色補正処理に応じたＬＥＤのパワー配分を示す図である。
【発明を実施するための形態】
【０００９】
［システム構成］
図１は、本実施形態に係る発光制御装置２０が含まれる表示システムＳの全体構成を示す図である。図１に示すように、表示システムＳは、発光制御装置２０、通信端末１０を含む。
【００１０】
発光制御装置２０は、通信端末１０と相互に通信可能である。発光制御装置２０と通信端末１０とはＬＡＮ（Ｌｏｃａｌ  Ａｒｅａ  Ｎｅｔｗｏｒｋ）等のネットワークやＢｌｕｅｔｏｏｔｈ（登録商標）によって、直接又は間接的に通信可能に接続される。
発光制御装置２０は、通信端末１０が発光制御装置２０を撮像することにより生成した画像データを、通信端末１０から受信する。
【００１１】
［外観構成］
図１を参照すると、発光制御装置２０は、表示部２１と脚部２５とを備え、表示部２１が脚部２５によって背面から支持されることで自立する。表示部２１は、鏡部２２、発光部２４、及び撮像部２３を備える。鏡部２２は、例えば、所定の透過率と反射率とを有するハーフミラーである。撮像部２３は、表示部４の上部外側に取り付けられ、表示部４に正対するものを撮影することができる。
【００１２】
発光部２４がユーザＵを照らすことにより、発光制御装置２０は、照明付きの鏡として機能する。また、発光部２４は、後述の発光制御処理において、発光強度が調整される。発光部２４は、立位方向における鏡部２２の両脇に、鏡部２２の辺に沿って配置される。発光部２４の配置は、これに限られず、例えば鏡部２２のすべての辺を囲むように配置されてもよい。
【００１３】
通信端末１０は、表示部１１とカメラ１２とを備える。通信端末１０は、例えばスマートフォン、あるいはタブレットであるが、表示部１１及びカメラ１２を有する通信可能な端末であれば、いかなる通信機器であってもよい。
【００１４】
図２は、発光制御装置２０の断面の構成を示す図である。発光制御装置２０は、更に、ディスプレイ２６を備えている。
【００１５】
表示部２１は、例えば、液晶ディスプレイにより構成されたディスプレイ２６を備える。表示部２１は、各種の情報を表示することにより、各種の情報をユーザＵに対して報知する部分である。表示部２１は、例えば、文字等のメッセージや、画像等を表示する。発光制御装置２０では、鏡部２２を構成する反射部の反射面と、ディスプレイ２６の表示面とが、ユーザＵから同時に視認可能に、鏡部２２に正対するユーザＵの視認方向に重畳して配置される。
【００１６】
ディスプレイ２６は、鏡部２２の視認方向における奥側に、鏡部２２に対して平行に近接して配置される。鏡部２２は、ディスプレイ２６の光の一部を透過するとともに、ユーザＵからの光の一部を反射する。したがって、ユーザＵは、ディスプレイ２６の画像とユーザＵ自身の姿とを、ひとつの画面で視認することができる。
【００１７】
鏡部２２及びディスプレイ２６の上部には撮像部２３が配置される。撮像部２３は、発光制御装置２０の利用時に、鏡部２２に正対するユーザＵを被写体として撮像することができる。撮像部２３は、例えば、鏡部２２に正対するユーザＵの顔を撮影可能な位置に配置される。
【００１８】
上述の発光制御装置２０の外観構成は、一例に過ぎず、発光制御装置２０の外観構成は、この例に限定されない。
【００１９】
［動作概要］
次に、発光制御装置２０や通信端末１０が備える機能ブロックの説明に先立って、本実施形態の動作概要について説明する。
まず、図３を参照して、前提となる問題点について説明する。図３は、発光制御装置２０の鏡部２２における反射率を示すグラフである。図３の横軸は、鏡部２２へ入射する光の波長を示し、縦軸は、波長に応じた鏡部２２における反射率を示す。鏡部２２は、上述のようにハーフミラーであることから、一般的な鏡に比べて、反射率に偏りが生じることがある。例えば、光の反射率は、反射膜のコーティング材によって異なる。
本例では、概ね可視光領域とされる、３８０[ｎｍ]〜７５０[ｎｍ]の波長の光が、鏡部２２に入射した場合の反射率が示されている。図示のとおり、波長が３８０[ｎｍ]〜４５０[ｎｍ]である紫色の光の反射率は著しく低く、波長が６２０[ｎｍ]〜７５０[ｎｍ]である赤色の光の反射率もまた相対的に低い。
【００２０】
このように、本例によれば、ユーザＵには、特定の色、例えば紫色及び赤色が本来の色味とは異なって見えるという問題が生じている。また、本例とは異なる特性のハーフミラーにより鏡部２２を実現した場合にも、その特性に応じて、他の特定の色の再現性が低下するという問題が生じ得る。そこで、本実施形態は、このような色再現性の低下を解消するために、色補正を行う。具体的には、後述の発光制御処理において、色再現性の低い紫色及び赤色に関して、発光部２４の発光強度が増加されることによって、色補正が行われる。
【００２１】
図４は、表示システムＳの使用状態を示す図である。通信端末１０及び発光制御装置２０には、同じカラーパレット画像が予め記録されている。通信端末１０の表示部１１には、基準色となるカラーパレット画像が表示されている。カラーパレット画像は、赤色、緑色、青色、及び白色から構成される。使用状態において、通信端末１０の表示部１１が、鏡部２２に正対するように配置される。表示部１１のカラーパレット画像の各色の光は、鏡部２２において反射して、カメラ１２に入射する。入射した各色の光は、カメラ１２の撮像素子（図示せず）において結像したのち、光電変換され、画像データとして保存される。後述の送信処理によって、画像データは、発光制御装置２０へ送信され、発光制御装置２０では、送信された画像データに基づいて、色補正が行われる。
【００２２】
このように、発光制御装置２０によれば、通信端末１０によって撮影された色基準情報（以下、「色基準チャート」と呼ぶ。）、すなわち、鏡部２２における反射光から導出される、反射率に応じた色補正が可能となる。これにより、色再現性の高い表示装置を提供することができる。
【００２３】
［通信端末のハードウェア構成］
図５は、通信端末１０のハードウェアの構成を示すブロック図である。
図５に示すように、画像処理装置１は、ＣＰＵ（Ｃｅｎｔｒａｌ  Ｐｒｏｃｅｓｓｉｎｇ  Ｕｎｉｔ）３１、ＲＯＭ（Ｒｅａｄ  Ｏｎｌｙ  Ｍｅｍｏｒｙ）３２、ＲＡＭ（Ｒａｎｄｏｍ  Ａｃｃｅｓｓ  Ｍｅｍｏｒｙ）３３、バス３４、入出力インターフェース３５、カメラ１２、出力部３７、入力部３８、表示部１１、記憶部４０、通信部４１、及びドライブ４２を備えている。
【００２４】
ＣＰＵ３１は、ＲＯＭ３２に記録されているプログラム、又は、記憶部４０からＲＡＭ３３にロードされたプログラムに従って各種の処理を実行する。
【００２５】
ＲＡＭ３３には、ＣＰＵ３１が各種の処理を実行する上において必要なデータ等も適宜記憶される。
【００２６】
ＣＰＵ３１、ＲＯＭ３２及びＲＡＭ３３は、バス３４を介して相互に接続されている。このバス３４にはまた、入出力インターフェース３５も接続されている。入出力インターフェース３５には、カメラ１２、出力部３７、入力部３８、表示部１１、記憶部４０、通信部４１、及びドライブ４２が接続されている。
【００２７】
カメラ１２は、図示はしないが、光学レンズ部と、イメージセンサと、を備えている。
【００２８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
カメラ１２にはまた、必要に応じて、焦点、露出、ホワイトバランス等の設定パラメータを調整する周辺回路が設けられる。
【００２９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、カメラ１２の出力信号として出力される。
このようなカメラ１２の出力信号は、ＣＰＵ３１等に適宜供給される。
【００３０】
入力部３８は、各種ボタンやマイク等で構成され、ユーザの指示操作や指示音声に応じて各種情報を入力する。入力部３８には、カメラ１２を作動させるためのスイッチ、いわゆるシャッタボタンが設けられる。シャッタボタンは、いわゆる物理ボタン、あるいは表示部１１に表示される画像であってもよい。
【００３１】
表示部１１は、液晶ディスプレイ等で構成され、ＣＰＵ３１が出力する画像データに対応する画像を表示する。
【００３２】
記憶部４０は、ＤＲＡＭ（Ｄｙｎａｍｉｃ  Ｒａｎｄｏｍ  Ａｃｃｅｓｓ  Ｍｅｍｏｒｙ）等の半導体メモリで構成され、各種データを記憶する。
【００３３】
通信部４１は、ＣＰＵ３１が、ネットワーク等を介して他の装置（例えば、発光制御装置２０）との間で通信を行うための通信制御を行う。
【００３４】
ドライブ４２は、リムーバブルメディア３００が装着可能なインターフェースにより構成される。ドライブ４２には、磁気ディスク、光ディスク、光磁気ディスク、あるいは半導体メモリ等よりなる、リムーバブルメディア３００が適宜装着される。リムーバブルメディア３００には、後述の送信処理を実行するためのプログラムや、画像データ等の各種データが格納される。ドライブ４２によってリムーバブルメディア３００から読み出されたプログラムや、画像データ等の各種のデータは、必要に応じて記憶部４０にインストールされる。
【００３５】
なお、通信端末１０は、上述したハードウェアに加えて、他のハードウェアを更に備えていてもよい。例えば、通信端末１０は、ランプやスピーカあるいは振動用モータ等で構成され、光や音声あるいはバイブレーション信号を出力する出力部を別途備えていてもよい。
【００３６】
［通信端末の機能的構成］
図６は、通信端末１０の機能的構成のうち、送信処理を実行するための機能的構成を示す機能ブロック図である。
送信処理とは、通信端末１０が、基準となるカラーパレット画像が移る鏡部２２を被写体とした画像を撮像し、撮像した画像を発光制御装置２０へ送信する一連の処理である。
送信処理が実行される場合、図６に示すように、ＣＰＵ３１において、撮影画像解析部３１１と、報知部３１２とが機能する。
また、記憶部４０の一領域には、撮影データ記憶部４０１が設定される。
【００３７】
撮影データ記憶部４０１には、送信処理に関する各種のデータが格納される。例えば、撮影データ記憶部４０１には、基準色となるカラーパレット画像、送信処理において撮影された撮影画像、及び送信処理の処理対象としたカラーパレット画像に関して設定された画像領域等の種々の情報が格納される。
【００３８】
なお、撮影データ記憶部４０１に格納される各情報は、記憶部４０にのみ格納されていてもよいが、ドライブ４２によってリムーバブルメディア３００に適宜格納されるようにしてもよい。更に、撮影データ記憶部４０１に格納される各情報は、図示しないサーバ群に適宜格納されるようにしてもよい。
【００３９】
撮影画像解析部３１１は、カメラ１２が撮像した、被写体としてカラーパレット画像を含む画像を解析して、カラーパレット画像の画像領域を検出する。例えば、撮影画像解析部３１１は、カラーパレット画像を含む撮影画像に対して、パターンマッチングや、エッジ検出等の処理を行うことで、カラーパレット画像の画像領域を認識し、画像領域の検出を行う。また、撮影画像解析部３１１は、検出した画像領域を撮影データ記憶部４０１等に記録する。
【００４０】
報知部３１２は、撮影画像からカラーパレット画像の画像領域が検出され、撮影画像が発光制御装置２０へ転送されると、転送が完了したことを示す音声の出力を行う。更に、報知部３１２は、音声メッセージ等を出力させる方法以外の方法によって報知を行ってもよい。例えば、報知部３１２は、表示部１１への表示によって報知を行う。
【００４１】
［発光制御装置のハードウェア構成］
図７は、発光制御装置２０のハードウェアの構成を示すブロック図である。
図７に示すように、発光制御装置２０は、ＣＰＵ６１、ＲＯＭ６２、ＲＡＭ６３、バス６４、入出力インターフェース６５、撮像部２３、表示部２１、鏡部２２、記憶部７０、通信部７１、及びドライブ７２を備えている。
【００４２】
ＣＰＵ６１は、ＲＯＭ６２に記録されているプログラム、又は、記憶部７０からＲＡＭ６３にロードされたプログラムに従って各種の処理を実行する。
【００４３】
ＲＡＭ６３には、ＣＰＵ６１が各種の処理を実行する上において必要なデータ等も適宜記憶される。
【００４４】
ＣＰＵ６１、ＲＯＭ６２及びＲＡＭ６３は、バス６４を介して相互に接続されている。このバス６４にはまた、入出力インターフェース６５も接続されている。入出力インターフェース６５には、撮像部２３、発光部６７、表示部２１、鏡部２２、記憶部７０、通信部７１、及びドライブ７２が接続されている。
【００４５】
撮像部２３は、図示はしないが、光学レンズ部と、イメージセンサと、を備えている。撮像部２３の構成は、通信端末１０のカメラ１２の構成と同様であるため、説明は省略する。撮像部２３の出力信号は、ＣＰＵ６１等に適宜供給される。
【００４６】
表示部２１は、液晶ディスプレイ等で構成され、ＣＰＵ６１が出力する画像データに対応する画像を表示する。
【００４７】
記憶部７０は、ＤＲＡＭ等の半導体メモリで構成され、各種データを記憶する。
【００４８】
通信部７１は、ＣＰＵ６１が、ネットワーク等を介して他の装置（例えば、発光制御装置２０）との間で通信を行うための通信制御を行う。
【００４９】
ドライブ７２は、リムーバブルメディア６００が装着可能なインターフェースにより構成される。ドライブ７２には、磁気ディスク、光ディスク、光磁気ディスク、あるいは半導体メモリ等よりなる、リムーバブルメディア６００が適宜装着される。リムーバブルメディア６００には、後述の色比較を実行するためのプログラムや、画像データ等の各種データが格納される。ドライブ７２によってリムーバブルメディア６００から読み出されたプログラムや、画像データ等の各種のデータは、必要に応じて記憶部７０にインストールされる。
【００５０】
なお、発光制御装置２０は、上述したハードウェアに加えて、他のハードウェアを更に備えていてもよい。例えば、発光制御装置２０は、ランプやスピーカあるいは振動用モータ等で構成され、光や音声あるいはバイブレーション信号を出力する出力部を別途備えていてもよい。
【００５１】
［発光制御装置の機能的構成］
図８は、発光制御装置２０の機能的構成のうち、発光制御処理を実行するための機能的構成を示す機能ブロック図である。
発光制御処理とは、画像比較部６１３による色毎の比較結果に基づいて、算出部６１４が色補正値を算出し、発光制御部６１１が、色補正値に基づいて発光部６７の発光強度を調整する一連の処理である。
発光制御処理における画像解析では、受信画像解析部６１２が、通信端末１０から受信した画像データからカラーパレット画像を検出する。
発光制御処理における画像比較では、画像比較部６１３が、通信端末１０から受信したカラーパレット画像と、記憶部７０に予め記録された、基準となるカラーパレット画像との色毎の比較を行う。
発光制御処理における色補正値の算出では、算出部６１４が、色比較の結果に基づいて色補正値を算出する。
【００５２】
受信データ記憶部７０１には、受信処理に関する各種のデータが格納される。例えば、受信データ記憶部７０１には、受信処理において通信端末１０から受信した撮影画像や、受信処理の処理対象としたカラーパレット画像に関して設定された画像領域等の種々の情報が格納される。
【００５３】
なお、受信データ記憶部７０１に格納される各情報は、記憶部７０にのみ格納されていてもよいが、ドライブ７２によってリムーバブルメディア６００に適宜格納されるようにしてもよい。更に、受信データ記憶部７０１に格納される各情報は、図示しないサーバ群に適宜格納されるようにしてもよい。
【００５４】
受信画像解析部６１２は、通信端末１０から送信されたカラーパレット画像を含む画像データを解析して、画像に含まれるカラーパレット画像の画像領域を検出する。例えば、受信画像解析部６１２は、カラーパレット画像を含む撮影画像に対して、パターンマッチングや、エッジ検出等の処理を行うことで、カラーパレット画像の画像領域を認識し、画像領域の検出を行う。また、受信画像解析部６１２は、検出した画像領域を受信データ記憶部７０１等に記録する。
【００５５】
画像比較部６１３は、受信データ記憶部７０１等に記録されている、通信端末１０から送信されたカラーパレット画像データと、予め記憶部７０等に記録されている基準となるカラーパレット画像データとを、色毎に比較する。画像比較部６１３における色比較は、以下で詳述する。
【００５６】
発光制御部６１１は、画像比較部６１３における色比較によって得られた、色毎の比較結果に基づいて、発光部６７の各色のパワー配分を調整する。発光部６７における調光処理は、以下で詳述する。
【００５７】
［通信端末の動作］
次に、通信端末１０の動作を説明する。通信端末１０は、主として送信処理を行う。
送信処理では、通信端末１０から発光制御装置２０へ、通信端末１０において撮影された画像の送信が繰り返し行われる。
【００５８】
送信処理は、所定のアプリケーションによって自動的に実行されるか、あるいはユーザＵによって手動で行われてもよい。送信処理が所定のアプリケーションによって行われる場合、ユーザＵは、例えば、図示しないサーバ群に含まれるアプリケーション配信サーバから、送信処理を行うためのアプリケーションソフトウェアを取得し、このアプリケーションソフトウェアを動作させる。
【００５９】
図９は、通信端末１０が実行する送信処理の流れを説明するフローチャートである。
【００６０】
ステップＳ１１において、通信端末１０の表示部１１に、カラーパレット画像が表示される。カラーパレット画像が表示されると、ステップＳ１２において、カメラ１２が起動する。ステップＳ１３において、出力部３７から「画面を発光制御装置２０へ向けてください」等の音声が出力される。
【００６１】
ユーザＵが、カラーパレット画像が表示された表示部１１を発光制御装置２０の鏡部２２に正対させると、カラーパレット画像は、発光制御装置２０の鏡部２２に映し出される。ステップＳ１４において、撮影画像解析部３１１は、カラーパレット画像の検出動作を行う。検出動作は、カラーパレット画像が検出されるまで繰り返される。
【００６２】
ステップＳ１４において、カラーパレット画像が検出されると、ステップＳ１５において、撮影動作が行われる。撮影動作は、例えば、ユーザＵが、入力部３８のシャッタボタンを押すか、あるいはアプリケーションによって自動的に撮影が行われてもよい。
【００６３】
撮影動作が完了すると、ステップＳ１６において、通信部４１は、撮影画像の転送を行
う。撮影画像は、通信端末１０から発光制御装置２０へ転送される。転送が完了すると、処理はステップＳ１７へ進む。ステップＳ１７において、終了条件を満たすか否かが判定される。終了条件は、例えば、送信処理の繰り返しの回数であってもよい。ステップＳ１１〜Ｓ１６までの処理が所定の回数繰り返された場合、処理はステップＳ１８に進むが、そうでない場合、処理はステップＳ１１へ戻る。
【００６４】
ステップＳ１７において、終了条件が満されたと判定されると、ステップＳ１８において、報知部３１２は、出力部３７から「転送が完了しました」等の音声を出力する。なお、報知部３１２は、音声ではなく、表示部１１へ転送が完了した旨のメッセージ等を表示してもよい。
【００６５】
上記のように、ステップＳ１１〜Ｓ１８の一連の処理によって、送信処理は完了する。
【００６６】
［発光制御装置の動作］
図１０は、発光制御装置２０が実行する発光制御処理の流れを説明するフローチャートである。
【００６７】
ステップＳ２１において、通信部７１は、通信端末１０からの画像データの受信待機を行う。ステップＳ２２において、画像データが受信されたか否かの判定が行われ、画像データが受信されない場合、画像データが受信されるまで、ステップＳ２１の処理が繰り返される。ステップＳ２２において、画像データが受信されたと判定されると、処理はステップＳ２３へ進む。
【００６８】
ステップＳ２３において、受信画像解析部６１２は、受信した画像データの解析を行う。受信画像解析部６１２は、パターンマッチングやエッジ検出等の手法を用いて、画像データにカラーパレット画像が含まれるか否かを解析する。解析が終了すると、ステップＳ２４において、カラーパレット画像が検出されたか否かが判定される。カラーパレット画像が検出されないとき、ステップＳ２５において、表示部２１９にエラーが表示される。
【００６９】
ステップＳ２４において、カラーパレット画像が検出されると、処理はステップＳ２６に進む。ステップＳ２６において、画像比較部６１３は、通信端末１０から受信した画像データから検出されたカラーパレット画像と、発光制御装置２０に予め記録されている、基準色のカラーパレット画像との色比較を行う。色比較は、後に詳述するように、Ｒ、Ｇ、Ｂの各色に対して行われる。
【００７０】
ステップＳ２５又はステップＳ２６の処理が完了すると、ステップＳ２７において、終了条件を満たしたか否か判定される。終了条件は、繰り返し回数であってもよく、予め定められた回数、色比較が行われた場合、終了条件が満たされたものと判定される。終了条件が満たされると、ステップＳ２８において、算出部６１４は、ステップＳ２６における色比較の結果に基づいて、ＬＥＤの各色の発光レベルを決定する。ＬＥＤの各色の発光レベルの決定方法は、以下で詳述する。
【００７１】
［色比較］
図１１は、ステップＳ１１において、通信端末１０の表示部１１に表示されたカラーパレット画像を示す図である。カラーパレット画像１３には、赤色領域Ｃ１、緑色領域Ｃ２、青色領域Ｃ３、白色領域Ｃ４、及びコード領域１５が含まれる。色領域Ｃ１〜Ｃ４は、例えば、表示部１１の長手方向を長辺とする矩形であって、隣接して表示されている。コード領域１５は、カラーパレット画像１３の色領域Ｃ１〜Ｃ４とは異なる領域、例えば色領域Ｃ１〜Ｃ４の上方に配置される。コード領域１５には、例えば、ＱＲコード（登録商標）（Ｑｕｉｃｋ  Ｒｅｓｐｏｎｓｅ  Ｃｏｄｅ）が表示される。
【００７２】
ステップＳ２３では、通信端末１０から受信したカラーパレット画像１３の解析が行われるが、このとき、受信画像解析部６１２は、コード領域１５のコードを読み取ってもよい。コード領域１５は、受信画像解析部６１２が、カラーパレットの色領域Ｃ１〜Ｃ４を検出するための補助的な役割を果たす。例えば、コード領域１５のＱＲコード（登録商標）が検出されると、色領域Ｃ１〜Ｃ４の各色領域の範囲が即座に特定される等、色領域Ｃ１〜Ｃ４の検出を確実にすることができる。
【００７３】
図１２は、通信端末１０に表示されているカラーパレット画像１３の発光強度を色毎に示す図である。赤色領域Ｃ１、緑色領域Ｃ２、青色領域Ｃ３、及び白色領域Ｃ４の発光強度は全て２５５である。本実施形態では、一例として、発光強度が０〜２５５の２５６段階で表わされる。
【００７４】
図１３は、ステップＳ１５において、通信端末１０のカメラ１２が撮影したカラーパレット画像、すなわち鏡部２２において反射したカラーパレット画像１３の発光強度を色毎に示す図である。色領域Ｃ１〜Ｃ４は、鏡部２２における反射光として、色領域Ｃ１´〜Ｃ４´に変化していることがわかる。なお、符号Ｃ１はＣ１´に対応し、同様に、符号Ｃ２〜Ｃ４もまた、夫々対応関係を有する。
【００７５】
図１３を参照すると、赤色領域Ｃ１の鏡部２２における反射光は、赤色領域Ｃ１´である。鏡部２２に正対するカラーパレット画像１３の赤色領域Ｃ１は、赤色成分のみで構成されているが、鏡部２２における反射光で構成される赤色領域Ｃ１´は、赤色成分だけではなく、緑色及び青色の色成分を含むことがわかる。これは、ユーザＵが直接視認すれば赤色のものが、鏡部２２を介して視認すると、青みを帯びた赤色として視認されることを意味する。緑色及び青色の色成分の混入は、外光等の影響、あるいは鏡部２２のミラーの反射特性によるものと考えられる。
【００７６】
同様に、緑色領域Ｃ２の鏡部２２における反射光は、緑色領域Ｃ２´である。鏡部２２に正対するカラーパレット画像１３の緑色領域Ｃ２は、緑色成分のみで構成されているが、鏡部２２における反射光で構成される緑色領域Ｃ２´は、緑色成分だけではなく、赤色及び青色の色成分を含むことがわかる。同様に、青色領域Ｃ３についても、鏡部２２における反射によって、青色領域Ｃ３は、赤色成分及び緑色成分が混入した青色領域Ｃ３´に変化してことがわかる。そして、白色領域Ｃ４についても、鏡部２２における反射によって、各色成分のバランスが変化し、白色領域Ｃ４´は、相対的に赤みが強い白色を示す。
【００７７】
図１３に示される、鏡部２２における反射によって得られるカラーパレット画像は、ステップＳ１５において通信端末１０のカメラ１２によって撮影され、ステップＳ１６において通信部４１によって発光制御装置２０へ送信される。
【００７８】
図１４は、色比較及びそれに応じたＬＥＤの発光制御を示す図である。色比較は、ステップＳ２６において行われる処理である。ここでは、一例として、色領域Ｃ１〜Ｃ４のうち白色領域Ｃ４に対して、色比較が行われる。発光制御装置２０に予め保存されている、カラーパレットの基準色データのうち、白色領域Ｃ４の発光強度は、各色すべて２５５となっている。一方、受信されたカラーパレット画像の白色領域Ｃ４´は、例えば、赤色成分が１８０、緑色成分が１５０、及び青色成分が１３０として構成される。
【００７９】
色比較では、基準色データの白色領域Ｃ４と、受信したカラーパレット画像の白色領域Ｃ４´との発光強度の差分が色毎に算出される。この場合、基準色データと受信した画像データとの差分は、赤色成分が４５、緑色成分が７５、及び青色成分が９５である。
【００８０】
発光制御処理は、ステップＳ２８において、色比較の結果に基づいて行われる。具体的には、算出部６１４は、各色成分のうち、最大の差分を有する色成分の差分値が２５５となるような補正値を算出し、発光部６７には、この補正値に基づいたパワー供給がなされる。この例によれば、各色成分の差分のうち、青色成分の差分は９５で最大であり、これを２５５にするためには２．７倍する必要がある。換言すれば、発光制御部６１１は、２５５を９５で除算することで、係数として２．７を算出する。係数として２．７が設定されると、各色の差分に対して、２．７が乗算される。赤色成分は４５に２．７を乗算した約１２１の発光強度、緑色成分は７５に２．７を乗算した約２０２の発光強度となる。発光制御部６１１は、発光部６７が、赤色成分が１２１、緑色成分が２０２、及び青色成分が２５５の発光強度を有するように、各色のＬＥＤへパワー供給を行う。
【００８１】
これにより、通信端末１０によって撮影された色基準チャート、すなわち、鏡部２２における反射光から導出される、反射率に応じた色補正が可能となる。これにより、色再現性の高い表示装置を提供することができる。
【００８２】
以上のように構成される発光制御装置２０は、発光制御部６１１と、表示部２１と、記憶部７０と、通信部７１と、画像比較部６１３と、算出部６１４と、を備える。
発光制御部６１１は、複数色の発光を制御する。表示部２１は、外光を反射する鏡部２２を含み、記憶部７０はカラーパレット画像１３を予め記憶する。
通信部７１は、通信端末１０によって撮像されたカラーパレット画像１３が反射された鏡部２２の画像データを受信する。
算出部６１４は、記憶部７０に記憶されているカラーパレット画像１３と受信され画像たデータとに応じて色補正値を算出する。
発光制御部６１１は、算出部６１４によって算出された色補正値に基づいて発光を制御する。
これにより、鏡部２２における反射率を考慮した色補正が行われるため、色再現性の高い発光制御装置２０を提供することができる。
【００８３】
発光制御装置２０は、記憶部７０に記憶されているカラーパレット画像１３と通信部７１により受信された画像データとの色情報を比較する画像比較部６１３を更に備える。
算出部６１４は、画像比較部６１３による比較結果に基づいて色補正値を算出する。
色情報を比較することにより、鏡部２２における反射率を考慮した色補正が行われるため、色再現性の高い発光制御装置２０を提供することができる。
【００８４】
通信部７１により受信した画像データからカラーパレット画像１３の画像範囲を検出する受信画像解析部６１２を更に備える。
画像比較部６１３は、記憶部７０に記憶されているカラーパレット画像１３と受信画像解析部６１２により検出されたカラーパレット画像１３の画像範囲との色情報を比較する。
これにより、発光制御装置２は、カラーパレット画像１３の色領域Ｃ１〜Ｃ４を検出することができ、色情報の比較を行うことで色補正値を算出することができる。
【００８５】
通信部７１により受信した画像データからカラーパレット画像１３の画像範囲を検出する受信画像解析部６１２を更に備える。
画像比較部６１３は、記憶部７０に記憶されているカラーパレット画像１３と受信画像比解析部６１２により検出されたカラーパレット画像１３の画像範囲とを色成分毎に比較する。
これにより、色毎に色比較が行うことができるため、より精度の高い色再現性を備える発光制御装置２を提供することができる。
【００８６】
算出部６１４は、比較結果から各色成分の色補正値を算出する。
これにより、より精度の高い色補正値が得られるので、高精度な色再現性を備える発光制御装置２を提供することができる。
【００８７】
算出部６１４は、比較結果に基づいて各色成分の差分を算出し、算出した各色成分の差分に基づいて各色成分の色補正値を算出する。
これにより、差分に基づいた色補正が行われるため、不足する色成分の光量を増加させることができる。
【００８８】
発光制御部６１１は、被写体を照らすように発光する。
これにより、ユーザＵは、自身の姿を適切な照明の下で視認することが出来る。
【００８９】
発光制御部６１１は、通信端末１０の発光部２４を制御する。
これにより、通信端末１０の画像の発色が適切に調整されるので、結果として、より精度の高い発光制御装置２を提供することができる。
【００９０】
鏡部２２は、透過性を有する反射部材である。
これにより、ハーフミラー等の光の波長特性を有する反射鏡に対しても、色再現性を高めることができる。
【００９１】
表示部２１の表示を制御する表示制御手段を更に備える。
表示制御手段は算出部６１４により算出された色補正値に基づいて表示部２１の表示を制御する。
これにより、スマートミラーなどのディスプレイ２６を有する発光制御装置２に対しても、バックライトを用いた色補正が行われ得る。すなわち、発光部２４を用いずに色補正が可能となる。
【００９２】
表示システムＳは、データ通信が可能な通信端末１０と、前記通信端末１０とデータ通信が可能な発光制御装置２０と、を備える。
通信端末１０は、カラーパレット画像１３が反射された発光制御装置２０が備える鏡部２２を撮像することによって、画像データを生成するカメラ１２と、画像データを発光制御装置２０に対して送信する通信部４１と、を備える。
発光制御装置２０は、複数色の発光を制御する発光制御部６１１と、
鏡部２２を含む表示部２１と、
カラーパレット画像１３を予め記憶した記憶部７０と、
画像データを受信する通信部７１と、
記憶部７０に記憶されているカラーパレット画像１３と通信部７１により受信された画像データとを比較する画像比較部６１３と、
画像比較部６１３による比較結果に基づいて色補正値を算出する算出部６１４と、を有する。
発光制御部６１１は、算出部６１４によって算出された色補正値に基づいて発光を制御する。
【００９３】
カラーパレット画像１３を表示する表示部１１と、
カラーパレット画像１３が反射された、発光制御装置２０の鏡部２２を撮像することによって、画像データを生成するカメラ１２と、
画像データを発光制御装置２０に対して送信する通信部４１と、
を備えることを特徴とする通信端末。
【００９４】
［変形例］
本発明は、上述の実施形態に限定されるものではなく、本発明の目的を達成できる範囲での変形、改良等は本発明に含まれるものである。
【００９５】
例えば、上述の実施形態における、通信端末１０の送信処理において、ステップＳ１７の終了条件は変形されてもよい。上述の実施形態では、終了条件は、繰り返し回数であるが、終了条件は、「ステップＳ２６における色比較の結果が所定の範囲内に収まったとき」であってもよい。すなわち、受信したカラーパレット画像と基準色データとの差分が、受信するカラーパレット画像毎に著しく異ならない場合には、色比較が終了する構成であってもよい。
【００９６】
他の変形例として、色比較に用いられる、カラーパレット画像１３のコード領域１５は、表示されない構成としてもよい。この場合、受信画像解析部６１２は、色領域Ｃ１〜Ｃ４に対して画像処理を行い、各色の矩形領域を検出する。
【００９７】
他の変形例として、例えば、発光制御装置２０のＣＰＵ６１は、算出手段及び表示制御手段をさらに備えていてもよい。表示制御手段は、上述の色比較において得られた差分に基づいて、色補正値を算出する。表示制御手段は、色補正値に基づいて、ディスプレイ２６の表示を制御する。例えば、表示制御手段は、各色の差分に基づいて、液晶分子に印加する電圧を調整し、カラーフィルタを透過するバックライトの光量を色毎に調整してもよい。これにより、差分に応じた色成分の発光強度を調整することが可能となり、色再現性の高い表示装置を実現できる。
【００９８】
他の変形例として、例えば、以下の方法で、通信端末１０は、色比較を行う色比較部を備えてもよい。通信端末１０は、色比較部において、以下の方法によって、発光制御装置２０の表示部２１の発光を制御する値を算出してもよい。通信端末１０及び発光制御装置２０には、同じカラーパレット画像が予め記録されており、発光制御装置２０の表示部２１には、そのカラーパレット画像が表示される。通信端末１０のカメラ１２は、発光制御装置２０の表示部２１に表示されたカラーパレット画像を撮影する。通信端末１０は、予め保存されたカラーパレット画像と、撮影した画像との色比較を行う。通信端末１０は、色比較の結果である各色の発光強度の差分を、発光制御装置２０へ送信する。発光制御装置２０は、通信端末１０から受信した差分に基づいて、表示部２１の発光制御処理を行う。表示部２１の発光制御は、ＬＥＤのパワー供給によって制御されるか、あるいは、ディスプレイ２６のバックライトを制御することによって行われてもよい。ＬＥＤのパワー供給及びディスプレイ２６のバックライトの制御は、上述の通りである。本変形例の構成によって、発光制御装置２０において、鏡部２２を透過したディスプレイ２６に表示される画像が、より適切な色に表示される。
【００９９】
他の変形例として、発光制御装置２０は、通信端末１０の画面１１に表示される画像の色補正をしてもよい。例えば、図４において、撮像部２３は、カラーパレット画像が表示された表示部１１を撮影する。撮影されたカラーパレット画像は、記憶部７０に記録される。画像比較部６１３は、撮影されたカラーパレット画像と、記憶部７０に予め記録されていた基準色データとの色比較を行う。色比較には、上述と同様の手法が用いられてもよい。画像比較部は、色比較によって得られた色毎の差分に基づいて、補正パラメータを算出する。補正パラメータは、通信部７１から通信端末１０へ送信される。通信端末１０のＣＰＵ３１は、受信した補正パラメータに応じて、各色の発光強度を調節することによって、色補正を行う。本変形例によって、通信端末１０に表示される画像の発色の精度が向上する。また、これにより、色比較を行う場合、通信端末１０に表示されるカラーパレット画像の発色の精度が向上するため、発光制御装置２０において、より正確な発光制御が行われる。
【０１００】
他の変形例として、色比較は、白色領域Ｃ４だけではなく、色領域Ｃ１〜Ｃ３の全てに対して行われてもよい。例えば、色毎に色比較が行われ、結果として得られた差分を平均化することによって、発光制御処理が行われる。本変形例によれば、各色について色比較が行われることによって、外光等の成分、あるいは反射特性を色毎に検出することができる。これにより、外光等の成分を色毎に正確に検出することが出来るため、より高い色再現性が実現される。
【０１０１】
他の変形例として、色比較は、ＲＧＢの三原色だけではなく、他のいかなる色成分に分解して行われてもよい。代表的なものとして、Ｃ（シアン）、Ｍ（マゼンタ）、Ｙ（イエロー）からなる三原色があるが、これに限られない。
【０１０２】
他の変形例として、発光制御装置２０の撮像部２３と、通信端末１０のカメラ１２との間で、撮像素子等に由来する色味の違いを補正するための、カラーキャリブレーション機能を備えていてもよい。これにより、互いの表示部を撮影したときにおいて、撮像素子等の性能による誤差を縮小することができる。
【０１０３】
他の変形例として、発光部２４及び撮像部２３の配置は図示される配置に限られない。例えば、発光部２４は一か所に配置されてもよく、あるいは二か所以上に配置されてもよい。同様に、撮像部２３の数も一つに限られず、複数個設けられてもよい。
【０１０４】
他の変形例として、画像比較部６１３は、色基準チャートとの対応テーブルを予め保持している構成であってもよい。即ち、上述の一実施形態では、画像比較部６１３は、通信端末１０から送信されたカラーパレット画像データと、予め記憶部７０等に記録されている基準となるカラーパレット画像データとを、色毎に比較し、比較した結果に基づいて補正値を算出する。これに対して、本変形例では、比較の結果に基づく色補正値が予め算出されており、記憶部７０に、テーブルとして保持されている。
これにより、補正値を算出する時間及び処理の負荷が減るため、発光制御装置２０のパフォーマンスが向上する。
【０１０５】
他の変形例として、基準となるカラーパレット画像は、通信不可能な他の媒体に表示されている構成であってもよい。例えば、通信端末１０の表示画面１１に表示されるカラーパレット画像は、必ずしも電子媒体に表示される必要はなく、紙等であってもよい。この場合、画像比較部６１３は、鏡部２２に写ったカラーパレット画像を、通信以外の方法によって取得する必要がある。一例として、表示部２１の上部に、撮像部２３が湾曲自在な蛇腹等を介して取り付けられている構成を想定する。撮像部２３は、蛇腹の湾曲によって、鏡部２２に正対し、鏡部２２に写ったカラーパレット画像を撮像する。これにより、紙媒体に表示されたカラーパレット画像は、発光制御部２０に取り込まれる。取り込まれたカラーパレット画像は、上述の一実施形態と同様に、画像比較部６１３によって。色基準チャートと比較され、色補正値が算出される。
【０１０６】
また、上述の実施形態では、本発明が適用される発光制御装置２０は、携帯可能な自立式の鏡に組み込まれた電子機器を例として説明したが、特にこれに限定されない。
例えば、本発明は、姿見等の大型の鏡に組み込まれた電子機器や、据え置き型の洗面化粧台に組み込まれた電子機器や、浴室に設置される鏡形状の電子機器に適用可能である。
【０１０７】
上述した一連の処理は、ハードウェアにより実行させることもできるし、ソフトウェアにより実行させることもできる。
換言すると、図６及び図８の機能的構成は例示に過ぎず、特に限定されない。即ち、上述した一連の処理を全体として実行できる機能が画像処理装置１に備えられていれば足り、この機能を実現するためにどのような機能ブロックを用いるのかは特に図６及び図８の例に限定されない。
【０１０８】
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【０１０９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１０】
このようなプログラムを含む記録媒体は、ユーザにプログラムを提供するために装置本体とは別に配布される図５、７のリムーバブルメディア６００、５００により構成されるだけでなく、装置本体に予め組み込まれた状態でユーザに提供される記録媒体等で構成される。リムーバブルメディア１００は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図５、７のＲＯＭ６２、５２や、図６、８の記憶部７０、６０に含まれるハードディスク等で構成される。
【０１１１】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【０１１２】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【０１１３】
以下に、本願の出願当初の特許請求の範囲に記載された発明を付記する。
［付記１］
複数色の発光が可能な発光部の発光を制御する発光制御手段と、
外光を反射する反射部を含む表示手段と、
色基準情報を予め記憶した記憶手段と、
外部装置によって撮像された色基準情報が反射された前記反射部の反射像である前記色基準情報の画像データを、受信する受信手段と、
前記記憶手段に記憶されている色基準情報と前記受信手段により受信された画像データとに応じて色補正値を算出する算出手段と、
を備え、
前記発光制御手段は、前記算出手段によって算出された前記色補正値に基づいて前記発光を制御することを特徴とする発光制御装置。
［付記２］
比較手段は、前記記憶手段に記憶されている色基準情報と、前記受信手段により受信された画像データとの色情報を比較する比較手段をさらに備え、
前記算出手段は、前記比較手段の比較結果に基づいて、前記色補正値を算出することを特徴とする付記１に記載の発光制御装置。
［付記３］
前記受信手段により受信した画像データから前記色基準情報の画像範囲を検出する検出手段を更に備え、
前記比較手段は、前記記憶手段に記憶されている色基準情報と前記検出手段により検出された色基準情報の画像範囲とを比較する、
ことを特徴とする付記２に記載の発光制御装置。
［付記４］
前記比較手段は、前記色情報を色成分毎に比較する、
ことを特徴とする付記２又は３に記載の発光制御装置。
［付記５］
前記算出手段は、前記比較結果から各色成分の色補正値を算出する、
ことを特徴とする付記２乃至４の何れか一に記載の発光制御装置。
［付記６］
前記算出手段は、前記比較結果に基づいて各色成分の差分を算出し、該算出した各色成分の差分に基づいて前記各色成分の色補正値を算出することを特徴とする付記５に記載の発光制御装置。
［付記７］
前記発光制御手段は、被写体を照らすように発光する、
ことを特徴とする付記１乃至６の何れか一に記載の発光制御装置。
［付記８］
前記発光制御手段は、前記外部装置の発光部を制御する、
ことを特徴とする付記１乃至７の何れか一に記載の発光制御装置。
［付記９］
前記反射部は、透過性を有する反射部材である、
ことを特徴とする付記１乃至８の何れか一に記載の発光制御装置。
［付記１０］
前記表示手段の表示を制御する表示制御手段を更に備え、
前記表示制御手段は前記算出手段により算出された色補正値に基づいて前記表示手段の表示を制御する、
ことを特徴とする付記１乃至９の何れか一に記載の発光制御装置。
［付記１１］
データ通信が可能な通信端末と、
前記通信端末とデータ通信が可能な発光制御装置とを備え、
前記通信端末は、
色基準情報が反射された前記発光制御装置が備える反射部を撮像することによって、画像データを生成する撮像手段と、
前記画像データを前記発光制御装置に対して送信する送信手段と、
を備え、
前記発光制御装置は、
複数色の発光を制御する発光制御手段と、
反射部を含む表示手段と、
前記色基準情報を予め記憶した記憶手段と、
前記画像データを受信する受信手段と、
前記記憶手段に記憶されている色基準情報と前記受信手段により受信された画像データとを比較する比較手段と、
前記比較手段による比較結果に基づいて色補正値を算出する算出手段と、
を有し、
前記発光制御手段は、前記算出手段によって算出された前記色補正値に基づいて前記発光を制御することを特徴とする表示システム。
［付記１２］
色基準情報を表示する表示手段と、
前記色基準情報が反射された、発光制御装置の反射部を撮像することによって、画像データを生成する撮像手段と、
前記画像データを前記発光制御装置に対して送信する送信手段と、
を備えることを特徴とする通信端末。
［付記１３］
コンピュータが行う発光制御方法であって、
複数色の発光を制御する発光制御ステップと、
色基準情報を予め記憶する記憶ステップと、
外部装置によって撮像された色基準情報が反射された、反射部の画像データを、前記外部装置から受信する受信ステップと、
前記記憶ステップにおいて記憶されている色基準情報と前記受信ステップにより受信された画像データとを比較する比較ステップと、
前記比較ステップによる比較結果に基づいて色補正値を算出する算出ステップと、
を備え、
前記発光制御ステップは、前記算出ステップによって算出された前記色補正値に基づいて前記発光を制御することを特徴とする発光制御方法。
［付記１４］
コンピュータを発光制御装置として機能させる発光制御プログラムであって、
複数色の発光を制御する発光制御手段と、
色基準情報を予め記憶する記憶手段と、
外部装置によって撮像された色基準情報が反射された、反射部の画像データを受信する受信手段と、
前記記憶手段において記憶されている色基準情報と前記受信手段により受信された画像データとを比較する比較手段と、
前記比較手段による比較結果に基づいて色補正値を算出する算出手段と、
を備え、
前記発光制御手段は、前記算出手段によって算出された前記色補正値に基づいて前記発光を制御する発光制御装置、として前記コンピュータを機能させることを特徴とする発光制御プログラム。
【符号の説明】
【０１１４】
１０・・・通信端末，１１・・・表示部，１２・・・カメラ，１３・・・カラーパレット画像，１５・・・コード領域，２０・・・発光制御装置，２１・・・表示部，２２・・・鏡部，２３・・・撮像部，２４・・・発光部，２５・・・脚部，２６・・・ディスプレイ，３１・・・ＣＰＵ，２１・・・ＲＯＭ，３３・・・ＲＡＭ，３４・・・バス，３５・・・入出力インターフェース，３７・・・出力部，３８・・・入力部，４０・・・記憶部，４１・・・通信部，４２・・・ドライブ，４０・・・記憶部，６１・・・ＣＰＵ，６２・・・ＲＯＭ，６３・・・ＲＡＭ，６４・・・バス，６５・・・入出力インターフェース，６７・・・発光部，７０・・・記憶部，７１・・・通信部，７１・・・通信部，７２・・・ドライブ，３００・・・リムーバブルメディア，３１１・・・撮影画像解析部，３１２・・・報知部，４０１・・・撮影データ記憶部，６００・・・リムーバブルメディア，６１１・・・発光制御部，６１２・・・受信画像解析部，６１３・・・画像比較部，６１４・・・算出部，７０１・・・受信データ記憶部，Ｃ１・・・赤色領域，Ｃ２・・・緑色領域，Ｃ３・・・青色領域，Ｃ４・・・白色領域
【図１】
2019153991.tif 000003
【図２】
2019153991.tif 000004
【図３】
2019153991.tif 000005
【図４】
2019153991.tif 000006
【図５】
2019153991.tif 000007
【図６】
2019153991.tif 000008
【図７】
2019153991.tif 000009
【図８】
2019153991.tif 000010
【図９】
2019153991.tif 000011
【図１０】
2019153991.tif 000012
【図１１】
2019153991.tif 000013
【図１２】
2019153991.tif 000014
【図１３】
2019153991.tif 000015
【図１４】
2019153991.tif 000016